(57)【特許請求の範囲】
【請求項１】
室内機（１）に接続された玄関子機（２）のカメラ方向（３）を調整するため前記室内機に設けられたボタン（１１）を操作し、電気的に前記玄関子機の筐体（４）に内臓されたモータ、ギア駆動機構（５）を駆動するテレビドアホンのカメラ方向可変構造であって、
前記筐体には、前記モータ、ギア駆動機構を手動的に操作し、前記カメラ方向を調整する調整穴（６）が設けられたことを特徴とするテレビドアホンのカメラ方向可変構造。
【発明の詳細な説明】
【０００１】
【発明の属する技術分野】
本発明はテレビドアホンのカメラ方向可変構造に関し、特に玄関子機のカメラレンズの角度調整が、電動、手動の両方で可能なテレビドアホンのカメラ方向可変構造に係わる。
【０００２】
【従来の技術】
従来のテレビドアホンのカメラ方向可変構造は、図３（ａ）、（ｂ）に示すように、室内機１に設けられたチルトボタン１１を電動的に操作し、玄関子機２０の筐体４０に内臓され室内機１に接続されたモータ、ギア駆動機構５０を駆動させて玄関子機２０のカメラ方向３０は調整される。
【０００３】
モータ、ギア駆動機構５０は、図３（ｂ）に示すように、室内機１に電気的に接続されたモータ５１、モータ５１に取り付けられるウォームギア５２’、ウォームギア５２’に歯合するギア５３、ギア５３から順次歯合するギア５４、ギア５５、ギア５５に設けられカメラに連結されるコマ５６、コマ５６が挿通され移動可能な長溝５７を有し、モータ５１、ウォームギア５２’、ギア５３、ギア５４、ギア５５を収納するギアボックス５８’からなる。
【０００４】
モータ５１およびウォームギア５２’、ギア５３、ギア５４、ギア５５は組み立てられ、コマ５６はギアボックス５８’の長溝５７に挿通され、コマ５６にはカメラが連結され、玄関子機２０の筐体４０に収納される。
室内機１のチルトボタン１１を操作すると、室内機１と電気的に接続されたモータ５１が回転し、その回転がウォームギア５２’、ギア５３、５４、５５に伝達され、長溝５７に挿通されたチルトコマ５６の移動に変換され、チルトコマ５６に連結されたカメラをチルト移動させ、カメラ方向３０を調整する(図４)。
図５に示すように、チルトボタンを持たない室内機１’が採用される場合、カメラ方向３０の調整は、玄関子機２０’に内蔵されるカメラに連結されたチルト調整部(図示せず)を、筐体４０’の裏側部４１’に設けられたチルト蓋２９から操作して手動的に行われる。
【０００５】
【発明が解決しようとする課題】
上述のようなチルトボタンを持たない室内機１’に対しては、カメラ方向３０の調整が手動式の玄関子機２０’を組み合わせるしか方法がなく、例えば、室内機１’にチルトボタンがない場合でも、電気使用の玄関子機を手動でも使えるように、電動、手動が切替えられる汎用性のある玄関子機の開発が望まれていた。
【０００６】
本発明はこのような難点を解消するためなされたもので、玄関子機のカメラ方向３０が電動でも手動でも調整できるテレビドアホンのカメラ方向可変構造を提供することを目的とする。
【０００７】
【課題を解決するための手段】
この目的を達成するため、本発明のテレビドアホンのカメラ方向可変構造は、室内機に接続された玄関子機のカメラ方向を調整するため、室内機に設けられたボタンを操作し、電気的に玄関子機の筐体に内臓されたモータ、ギア駆動機構を駆動するテレビドアホンのカメラ方向可変構造であって、筐体には、モータ、ギア駆動機構を手動的に操作し、カメラ方向を調整する調整穴が設けられている。
【０００８】
玄関子機の筐体の調整穴から手動的にモータ、ギア駆動機構を調整できるので、電動的な操作で使用される玄関子機を手動的操作でも使用できる。
【０００９】
【発明の実施の形態】
以下、本発明のテレビドアホンのカメラ方向可変構造をその好ましい実施の形態例を示す図面を参照して詳述する。
図１（ａ）、（ｂ）に示すように、本発明のテレビドアホンのカメラ方向可変構造は、玄関子機２のカメラ方向３を調整するのに、室内機１に設けられたチルトボタン１１を操作して行う電動的方法と、玄関子機２の筐体４の裏側部４１の調整穴６からウォームギア５２の軸頭７を回転させる手動的方法の両者に適したテレビドアホンのカメラ方向可変構造である。
【００１０】
モータ、ギア駆動機構５は、図１（ｂ）に示すように、室内機１に電気的に接続されたモータ５１、モータ５１に取り付けられるウォームギア５２、ウォームギア５２に歯合するギア５３、ギア５３から順次歯合するギア５４、ギア５５、ギア５５に設けられカメラに連結されるチルトコマ５６、チルトコマ５６が挿通され移動可能な長溝５７を有し、モータ５１、ウォームギア５２、ギア５３、ギア５４、ギア５５を収納するギアボックス５８からなり、ウォームギア５２の軸頭７にはドライバー用の溝または十字溝が切られ、ギアボックス５８には溝または十字溝を有するウォームギア５２の軸頭７が挿通される穴８が設けられている。
【００１１】
なお、チルトコマ５６とカメラの間には連結具（図示せず）が取り付けられ、図２に示すチルトコマ５６の上下調節（矢印Ａ）は、筐体４の前面におけるカメラ方向３としてチルト調整が行われる。
モータ５１およびウォームギア５２、ギア５３、ギア５４、ギア５５は組み立てられ、玄関子機２の筐体４に収納され、ギアボックス５８の長溝５７に挿通されたチルトコマ５６にはカメラが連結され、ドライバー用の溝または十字溝が切られたウォームギア５２の軸頭７はギアボックス５８に設けられた穴８に挿通される。
【００１２】
玄関子機２の筐体４の裏側部４１の調整穴６は、玄関子機２に収納されたギアボックス５８の穴８に対応する位置に穿設される。
チルトボタンを持たない室内機が採用される場合、カメラ方向３の調整は、図２に示すように、玄関子機２の筐体４の裏側部４１の調整穴６にドライバー９を挿通し、穴６に対応する位置に収納されているモータ、ギア駆動機構５のギアボックス５８の穴８から突出しているウォームギア５２の軸頭７の溝または十字溝に篏合させ、ウォームギア５２を手動的に回転させる。その回転は、ギア５３、５４、５５に伝達され、長溝５７に挿通されたチルトコマ５６の移動に変換され、チルトコマ５６に連結されたカメラをチルト調整させカメラ方向３を調整する。
【００１３】
チルトボタンを備えた室内機が採用される場合、室内機１のチルトボタン１１を操作すると、室内機１と電気的に接続されたモータ５１が回転し、その回転がウォームギア５２、ギア５３、５４、５５に伝達され、長溝５７に挿通されたチルトコマ５６の移動に変換され、チルトコマ５６に連結されたカメラ方向３をチルト調整する。
このように、本発明のテレビドアホンのカメラ方向可変構造では、同じ玄関子機２が電動式、手動式の両方に対応可能である。
【００１４】
なお、上記の実施例では、玄関子機２の調整穴６を、筐体４の裏側部４１に穿設したが、裏側部４１にのみ限定されるものではなく、側面部でも同様に好適である。
また、上記の実施例では、カメラ方向をチルト（上下方向）調整する場合を説明したが、パン（左右方向）調整する場合にも適用される。
【００１５】
【発明の効果】
以上の説明から明らかなように、本発明のテレビドアホンのカメラ方向可変構造によれば、室内機に接続された玄関子機のカメラ方向を調整するため、室内機に設けられたボタンを操作し、電気的に玄関子機の筐体に内臓されたモータ、ギア駆動機構を駆動するテレビドアホンのカメラ方向可変構造であって、筐体には、モータ、ギア駆動機構を手動的に操作し、カメラ方向を調整する調整穴が設けられているので、調整穴から手動的にモータ、ギア駆動機構を調整でき、1種類の玄関子機のカメラ方向の調整を、電動式でも手動式でも使用できる。
【図面の簡単な説明】
【図１】（ａ）、（ｂ）は、本発明によるテレビドアホンのカメラ方向可変構造を説明する図。
【図２】本発明によるテレビドアホンのカメラ方向可変構造の動作を説明する図。
【図３】（ａ）、（ｂ）は、従来のテレビドアホンのカメラ方向可変構造を説明する図。
【図４】従来のテレビドアホンのカメラ方向可変構造を説明する図。
【図５】従来のテレビドアホンのカメラ方向可変構造を説明する図。
【符号の説明】
１・・・・・・室内機
１１・・・・・・チルトボタン
２・・・・・・玄関子機
３・・・・・・カメラ方向
４・・・・・・（玄関子機の）筐体
５・・・・・・モータ、ギア駆動機構
６・・・・・・調整穴
【図１】
0003639711.tif 000002
【図２】
0003639711.tif 000003
【図３】
0003639711.tif 000004
【図４】
0003639711.tif 000005
【図５】
0003639711.tif 000006